(57)【要約】【課題】  極めて簡単な構成で、大型のスライド式シャッタ９をも補強することができるスライド式シャッタの補強構造１を提供する。【解決手段】  スライド式シャッタの補強構造１は、建物開口部２の両側縁に設けられた一対のガイドレール３に案内されて、前記建物開口部２を開閉可能なシャッタ板５を備えるスライド式シャッタの補強構造１であって、少なくとも前記ガイドレール３の屋内側又は屋外側のいずれかに、当該ガイドレール３に沿ってそれぞれ設けられた一対の補強体用レール４と、端部が前記一対の補強体用レール４にそれぞれスライド自在に保持されて、前記シャッタ板５に近接して架設される長手形状の補強体６と、前記補強体６の端部をそれぞれ上方から吊り下げて、略水平に所定高さに保持する線材７と、当該線材７を巻き取り可能な回転体８と、を備える。【選択図】図２
2011117179.tif 000002
【特許請求の範囲】
【請求項１】
建物開口部の両側縁に設けられた一対のガイドレールに案内されて、前記建物開口部を開閉可能なシャッタ板を備えるスライド式シャッタの補強構造であって、
少なくとも前記ガイドレールの屋内側又は屋外側に、当該ガイドレールに沿ってそれぞれ設けられた一対の補強体用レールと、
端部が前記一対の補強体用レールにそれぞれスライド自在に保持されて、前記シャッタ板に近接して架設される長手形状の補強体と、
前記補強体の端部をそれぞれ上方から吊り下げて、略水平に所定高さに保持する吊下材と、
当該吊下材を巻き取り可能な回転体と、
を備えることを特徴とするスライド式シャッタの補強構造。
【請求項２】
前記一対の補強体用レールに前記補強体が複数本保持されることを特徴とする請求項１に記載のスライド式シャッタの補強構造。
【請求項３】
前記一対の補強体用レールは、前記ガイドレールを挟んで屋外側と屋内側とにそれぞれ設置されるとともに、前記補強体は少なくとも、屋外側と屋内側の前記一対の補強体用レールにそれぞれ１本以上架設されることを特徴とする請求項１又は請求項２に記載のスライド式シャッタの補強構造。
【請求項４】
風速を感知する風速感知手段と、
前記回転体を駆動する駆動手段と、
該駆動手段の駆動を制御する制御手段と、を更に備え、
前記制御手段は、前記風速感知手段が所定以上の風速を感知した場合に、前記駆動手段を駆動して前記吊下材を巻き出し、前記補強体を所定高さに保持することを特徴とする請求項１から請求項３のいずれかに記載のスライド式シャッタの補強構造。
【発明の詳細な説明】
【技術分野】
【０００１】
本発明は、建物開口部に設置されるスライド式シャッタの補強構造に関し、特に、ガイドレールに沿って設けられた補強体用レールにスライド自在に保持されるスライド式シャッタの補強構造に関する。
【背景技術】
【０００２】
建物開口部を開閉するスライド式シャッタは、上下に連結される複数のスラット板からなるシャッタ板を、建物開口部の両側縁に設置されたガイドレールに案内させて、建物開口部を開閉する構成である（例えば特許文献１）。このようなスライド式シャッタは、強風に煽られるとスラット板がバタついてガイドレールと衝突し騒音を発生し易く、さらにはスラット板が風圧に負けて破損する虞がある。
【０００３】
そこで、上述の問題を解消するために本願の出願人は、スライド式シャッタ１００を補強するシャッタ補強部材１０１を提案した。このシャッタ補強部材１０１は、図１１に示すように、一端に開口部を有する筒状に形成された筒状部材１０２と、一端が該筒状部材１０２の内部にスライドして伸出及び収納可能であるスライド部材１０３と、前記筒状部材１０２と前記スライド部材１０３とを所定位置で固定させる係止螺子１０４と、前記筒状部材１０２の他端および前記スライド部材１０３の他端のそれぞれに設けられスライド式シャッタ１００の一対のガイドレール１０５とスラット板１０６との隙間に挿し込まれる爪部１０７と、を備えている（特許文献２参照）。
【０００４】
このように構成すると、従来からスライド式シャッタに設けられているガイドレールおよびシャッタ板にシャッタ補強部材を簡単に取付けることができ、スライド式シャッタをきわめて簡単に補強することができる。
【先行技術文献】
【特許文献】
【０００５】
【特許文献１】特開２００４−１７６２６３号公報
【特許文献２】特許第３９１２７９４号公報
【発明の概要】
【発明が解決しようとする課題】
【０００６】
しかし、大型のスライド式シャッタにおいては、より大きな風圧に耐える必要があるためシャッタ補強部材自体も大型化する必要があり、上述のようなシャッタ補強部材をスライド式シャッタ１００の一対のガイドレール１０５とスラット板１０６との間に挿入して固定する方法では、シャッタ補強部材の重量に十分対応することができない。また、シャッタ補強部材の重量が大きくなると、人力で設置することも困難であり、上述のような構成とすることができない。
【０００７】
そこで本発明は、上述の問題点を解決するためになされたものであり、極めて簡単な構成で、大型のスライド式シャッタをも補強することができるスライド式シャッタの補強構造を提供することを目的とする。
【課題を解決するための手段】
【０００８】
上記目的を達成するために、請求項１に記載のスライド式シャッタの補強構造は、建物開口部の両側縁に設けられた一対のガイドレールに案内されて、前記建物開口部を開閉可能なシャッタ板を備えるスライド式シャッタの補強構造であって、少なくとも前記ガイドレールの屋内側又は屋外側のいずれかに、当該ガイドレールに沿ってそれぞれ設けられた一対の補強体用レールと、端部が前記一対の補強体用レールにそれぞれスライド自在に保持されて、前記シャッタ板に近接して架設される長手形状の補強体と、前記補強体の端部をそれぞれ上方から吊り下げて、略水平に所定高さに保持する吊下材と、当該吊下材を巻き取り可能な回転体と、を備えることを特徴としている。
【０００９】
また、請求項２に記載のスライド式シャッタの補強構造は、前記一対の補強体用レールに前記補強体が複数本保持されることを特徴としている。
【００１０】
また、請求項３に記載のスライド式シャッタの補強構造は、前記一対の補強体用レールは、前記ガイドレールを挟んで屋外側と屋内側とにそれぞれ設置されるとともに、前記補強体は少なくとも、屋外側と屋内側の前記一対の補強体用レールにそれぞれ１本以上架設されることを特徴としている。
【００１１】
また、請求項４に記載のスライド式シャッタの補強構造は、風速を感知する風速感知手段と、前記回転体を駆動する駆動手段と、該駆動手段の駆動を制御する制御手段と、を更に備え、前記制御手段は、前記風速感知手段が所定以上の風速を感知した場合に、前記駆動手段を駆動して前記吊下材を引き降し、前記補強体を所定高さに保持することを特徴としている。
【発明の効果】
【００１２】
本発明の請求項１に記載のスライド式シャッタの補強構造は、回転体が吊下材を巻き取り及び巻き出すことで、吊下材によって自重による下方への落下に抗して上方から吊り上げられている補強体の高さを上げ下げすることができる。そして、補強体は、補強体用レールに端部がそれぞれスライド自在に保持され、シャッタ板に近接して架設されているので、スライド式シャッタのシャッタ板を引き上げて建物開口部を開放するときには、回転体により吊下材を巻き取って補強体を建物開口部の上端に保持することができ、建物開口部をスライド式シャッタにより閉塞するときには、回転体により吊下材を巻き出して補強体を建物開口部の高さ方向の中間位置で保持して、スライド式シャッタのシャッタ板が風などにより撓むことを抑制することができる。このように構成されることで、スライド式シャッタの補強構造は、回転体を回転させるだけで、スライド式シャッタを補強させることができるものであるから、例えば大型のスライド式シャッタを補強する場合にも、簡単にスライド式シャッタを補強することができる。
【００１３】
また、請求項２に記載のスライド式シャッタの補強構造は、一対の補強体用レールに補強体が複数本備わるので、スライド式シャッタをより強固に補強することができ、特に建物開口部の高さが高い場合にも十分に補強することができる。
【００１４】
また、請求項３に記載のスライド式シャッタの補強構造は、屋外側と屋内側とにそれぞれ一対の補強体用レールが設けられ、これら一対の補強体用レールに、少なくとも１本以上の補強体が架設されているので、シャッタ板に対して屋外側から屋内側に向かって風圧がかかった場合には、屋内側に設けられた補強体によりシャッタ板を補強することができ、屋外側に負圧が発生した場合には、屋外側に設けられた補強体によりシャッタ板を補強することができる。したがって、シャッタ板に屋内側及び屋外側のいずれから荷重が加わった場合にもシャッタ板を補強することができ、シャッタ板が破損することを抑制することができる。
【００１５】
また、請求項４に記載のスライド式シャッタの補強構造は、風速感知手段が所定以上の風速を感知した場合に、吊下材を引き出して、補強体を所定高さに保持するものであるので、シャッタ板を補強する必要がない風速が弱い場合には、補強体を建物開口部の上端に保持することができ、風速が強くシャッタ板を補強する必要がある場合にのみ、補強体をシャッタ板に近接する位置に架設することができる。
【図面の簡単な説明】
【００１６】
【図１】第１の実施形態のスライド式シャッタの補強構造を屋内側から見た正面図。
【図２】第１の実施形態のスライド式シャッタの補強構造を説明するＡ−Ａ断面図。
【図３】ガイドレール、補強体用レール、及び補強体の端部を説明する拡大断面図。
【図４】補強体を上昇させた状態を説明する第１の実施形態のスライド式シャッタの補強構造の簡略断面図。
【図５】シャッタ板を巻き上げて建物開口部を開放した状態を説明する第１の実施形態のスライド式シャッタの補強構造の簡略断面図。
【図６】第２の実施形態のスライド式シャッタの補強構造を説明する一部省略拡大断面図。
【図７】引掛部をストッパに引っ掛けた状態を説明する図６のＢ部分の拡大図。
【図８】第２の実施形態のスライド式シャッタの補強構造の電気的構成を説明するブロック図。
【図９】補強体を２本以上備えたスライド式シャッタの補強構造を説明する断面図。
【図１０】屋内側と屋外側とにそれぞれ補強体を備えたスライド式シャッタの補強構造を説明する断面図。
【図１１】従来のシャッタ補強部材を説明する斜視図。
【発明を実施するための形態】
【００１７】
〔第１の実施形態〕
以下に、本発明を実施するための第１の実施形態について、図面を参照しつつ説明する。本実施形態に係るスライド式シャッタの補強構造１は、図１及び図２に示すように、建物開口部２の両側縁に設けられた一対のガイドレール３の屋内側に、ガイドレール３に沿ってそれぞれ設けられた一対の補強体用レール４と、端部が前記一対の補強体用レール４にそれぞれスライド自在に保持されて、シャッタ板５に近接して架設される長手形状の補強体６と、この補強体６の端部をそれぞれ上方から吊り下げて、略水平に所定高さに保持するチェーン、ワイヤーロープ、鎖などの吊下材７と、当該吊下材７を巻き取り可能な回転体８と、この回転体８を駆動するモータ１４とを備えている。
【００１８】
スライド式シャッタ９は、建物の出入口や窓などの建物開口部２に設けられる鋼製の巻上げ戸であって、複数の細長い鉄板状のスラット板をよろい戸状につづったシャッタ板５と、建物開口部２の両側縁にそれぞれ設けられた断面Ｕ字状の枠体であって、シャッタ板５の側部がそれぞれスライド自在に挿入されて、シャッタ板５を上下に案内するガイドレール３とにより構成される。また、建物開口部２の幅が長い場合には、図１に示すように、建物開口部２の中間部に直立する断面Ｈ字状の中間枠体１０を１又は複数設置し、シャッタ板５をガイドレール３と中間枠体１０の間、及び中間枠体１０相互の間に介在させてその両側部をガイドさせてそれぞれシャッタ板５を上下移動させることができるように構成することもできる。そして、建物開口部２の上部には、このシャッタ板５を引き上げ及び引き下ろすことができる巻き上げ軸１２が収納ボックス１１に収容されており、巻き上げ軸１２を電動又は人力で回転させることにより、この巻き上げ軸１２にシャッタ板５が巻き付いてシャッタ板５を建物開口部２から引き上げることができる。
【００１９】
なお、本実施形態においては、スライド式シャッタ９として上述のような巻上げ戸を例示するが、本発明の「スライド式シャッタ」はこれに限定されるものではなく、シャッタ板５を天井部で水平に収納するオーバーヘッドドアやシャッタ板５が建物開口部２の上部の壁面に折れ曲がらずに鉛直に収納されるもの等のように、建物開口部２において両側縁に設けられたガイドレール３に案内されて、建物開口部２を開閉することができる種々の構成を用いることができる。
【００２０】
一対の補強体用レール４は、図２、図３に表わされるように、ガイドレール３の屋内側又は屋外側に開口４１を互いに向き合うように当該ガイドレール３に沿って設けられる鉛直方向に長く延びる断面が略Ｃ字状のレールである。この補強体用レール４はガイドレール３と一体形成してもよいし、既設のガイドレール３にボルト及びナットにより固定してもよく、また、接着、溶接等の種々の固着手段により固定しても良い。また、補強体用レール４は、ガイドレール３に固定されるものに限られず、建物開口部２の側縁に直接固定されるもの等のように、ガイドレール３に近接して立設されるものであってもよい。
【００２１】
また、補強体６は、建物開口部２の幅にほぼ等しい長さの鋼製の棒状であって、両端がそれぞれ補強体用レール４の互いに向かい合う開口４１の内部に挿入されている。補強体用レール４の開口４１は内側にやや張り出すフランジ１３によって形成されており、補強体６の端部６１が膨らんで形成されることにより、補強体６が補強体用レール４から脱落することを防止している。したがって、この端部６１は補強体用レール４内を上下方向に滑り易く且つ開口４１から脱落しない球形やローラなどであることが好ましい。なお、補強体６としては鋼、ステンレス、アルミニウム等の加工が容易であって、一定の強度を保つことができる金属からなる中空部材が好ましく、また、建物開口部２の幅が広い場合などのように、補強体６の強度を維持しつつより軽くしたい場合には繊維補強プラスチックなどの樹脂を用いても良い。
【００２２】
図３に示すように、シャッタ板５に近接して補強体６を架設することにより、シャッタ板５が風圧で補強体６側に撓んでも、この補強体６により過度に撓むことを防ぐことができるので、シャッタ板５がガイドレール３から脱落することやシャッタ板５が大きく撓んで塑性変形することを防ぐことができる。より効果的には、後述するように、この補強体６は、屋内側と屋外側のいずれか一方又は双方に設置することもできる。
【００２３】
吊下材７は図２、図４に示すように、一端が補強体６の補強体用レール４に挿入された端部６１に固定されており、他端が収納ボックス１１に収容された回転体８に固定されている。そして、この吊下材７が、補強体６の両端部６１をそれぞれ吊り下げることにより、補強体６を建物開口部２の中央付近に水平に保持している。
【００２４】
回転体８には、モータ１４が接続されており、操作者による入力により回転体８を回転させることができ、吊下材７を巻き取り及び巻き出すことができる。なお、回転体８の駆動手段はモータ１４に限定されるものではなく、公知の様々な動力源を用いることができる。また、補強体６の重量に応じて適切なギア比の歯車を介在させることで、図示しない手回しハンドルなどの人力によるものであっても簡単に補強体６を吊り上げ下げすることができる。
【００２５】
図１及び図２に示すように、シャッタ板５が下端まで降りて、且つ、補強体６が建物開口部２のほぼ中央に保持されている状態の建物開口部２が閉塞されている状態から建物開口部２を開放する場合は、まず、モータ１４を駆動して、吊下材７を巻き取って、図４に示すように、補強体６を収納ボックス１１の下端まで上昇させる。そして、次に、図５に示すように、巻き上げ軸１２を回転させてシャッタ板５を引き上げて、建物開口部２を開放する。一方、建物開口部２が開放されている状態から建物開口部２を閉塞する場合には、まず、巻き上げ軸１２を回転させてシャッタ板５を引き降し、建物開口部２をシャッタ板５で覆う。そして、次にモータ１４を駆動して、回転体８を回転させて吊下材７を巻き出し、建物開口部２のほぼ中央の高さに補強体６が保持されるようにする。このように、回転体８を回転させるだけで、極めて簡単にスライド式シャッタ９を補強することができる。
【００２６】
なお、補強体６を保持する高さ位置は、建物開口部２のほぼ中央であることが、スライド式シャッタ９を補強するために最も好ましいが、例えば吊下材７の長さを建物開口部の床面に届く長さに設計し、補強体６の高さ位置を必要に応じて適宜変更できるようにしてもよい。このようにすると、例えば建物が車庫である場合には、シャッタ板５を降ろしていなくても、補強体６を車の進入及び出庫を阻止できる高さ位置に配置しておくことで、防犯性や安全性を高めることができる。また、例えば、農作物を保管する納屋である場合には、建物開口部２の床面に補強体６を載置しておくことで、シャッタ板５を降ろしていなくても作物が屋外にこぼれ出ることを防ぐことができる。また、軽いものであれば、補強体６に引っ掛けることで干し物などに利用することもできる。
【００２７】
〔第２の実施形態〕
次に、所定以上の風速の場合に自動的に補強体６がシャッタ板５を補強する第２の実施形態について説明する。なお、前述の第１の実施形態と同様の構成については、同じ符号を付して説明を省略する。
【００２８】
第２の実施形態におけるスライド式シャッタの補強構造１は、図６及び図８に示すように、第１の実施形態のスライド式シャッタの補強構造１の構成に加えて、スライド式シャッタ９が設置された近傍の風速を感知する風速感知手段としての風速計１５と、シャッタ板５が建物開口部２を覆うように閉塞されていることを感知する開閉検知センサ１６と、風速計１５及び開閉検知センサ１６の感知に基づいてモータ１４の駆動を制御する制御部１７と、を備える構成である。
【００２９】
風速計１５は、風速を検知する風車などからなる検知部１８と、この検知部１８が検知した風速を所定の電気信号に変換する変換部１９とを備えている。検知部１８は、例えば、小径の羽を持つ水平軸風車であって、前端に風車、後端に尾翼を有し、水平方向に回転することで風車を常に風上に向け、且つ、風向を同時に観測することができる。そして、変換部１９は、例えば光電式の機構により風車の回転を計数することにより、風速を電気信号に変換できるものであり、変換した信号は制御部１７に送信される。なお、風速計１５の構成はこれに限定されるものではなく、垂直方向を軸として回転する複数の風杯を備えた風杯型風速計、ピトー管を用いた動圧感応式風速計、電熱線を環境中に露出させて通電しその発熱と風による冷却とが平衡したときの温度から風速を求める熱線式風速計、音波の伝搬に対する風の影響を応用した超音波式風速計等の種々の風速計１５を用いることができる。
【００３０】
開閉検知センサ１６は、例えば、シャッタ板５の下端が建物開口部２の床部に接触したことを感知する接触感知センサであって、シャッタ板５が床部に接触していることを感知すると、所定の信号を制御部１７に対して送信するものである。なお、この開閉検知センサ１６は、この構成に限定されるものではなく、シャッタ板５の開閉を検知できる種々の構成を採用することができる。また、制御部１７は、図示しないが、例えば基板上にマイクロプロセッサとメモリを取付けた小型の制御装置であり、風速計１５及び開閉検知センサ１６からの信号に基づいて、モータ１４の駆動を制御するものである。
【００３１】
風速計１５の変換部１９から送信された信号が所定の風速以上であることを示すものであると制御部１７が判断すると、制御部１７は、シャッタ板５が建物開口部２を閉塞しているか否か判断する。なお、ここで所定の風速以上とは、単位時間当たりの平均風速が所定以上である場合、単位時間当たりの最大風速が所定風速以上である場合などをも含む。すなわち開閉検知センサ１６から、シャッタ板５が建物開口部２の床部に接触していることを感知した旨の信号を受けたか否か判断する。シャッタ板５が建物開口部２を閉塞していると判断すると、制御部１７は、モータ１４を駆動して回転体８を回転させて、補強体６を所定高さまで下降させる。なお、制御部１７は、補強体６を下降させた後、一定の時間が経過するまでの間に、所定の風速以上の風速が計測されなかった場合には、再度モータ１４を駆動して回転体８を逆向きに回転させて、補強体６を上昇させる構成としてもよい。
【００３２】
このように、第２の実施形態のスライド式シャッタの補強構造１によると、風速が所定以上の場合に、自動的に補強体６を所定高さに保持するので、シャッタ板５を補強する必要がない風速が弱い場合には、補強体６を建物開口部２の上端に保持することができ、風速が強くシャッタ板５を補強する必要がある場合にのみ、補強体６をシャッタ板５に近接する位置に架設することができる。
【００３３】
なお、この実施形態においては、開閉検知センサ１６を設けて、シャッタ板５が建物開口部２を覆っている状態の時にのみ補強体６が下降する構成について説明したが、例えば、図６及び図７に示すように、シャッタ板５の下端に上方に向けて折曲したストッパ２０を設けるとともに、補強体６にこのストッパ２０に引っ掛かる引掛部２１を設けることにより、シャッタ板５が建物開口部２を覆っている状態の時にのみ補強体６が下降する構成としてもよい。すなわち、シャッタ板の下端に設けられたストッパ２０に補強体６に設けられた引掛部２１が引っ掛かることにより、補強体６はシャッタ板５の下端よりも下に下降することができないので、シャッタ板５が開いた状態のときに、補強体６が建物開口部２を下降する虞がない。
【００３４】
また、補強体６の数は１本に限定されるものではなく、図９に示すように２本以上であってもよい。例えば想定される風速が速い場合やスライド式シャッタ９がより大型である等の理由で、１本の補強体６では十分にスライド式シャッタ９を補強できない場合には、２本以上の補強体６で補強することができる。
【００３５】
例えば図９に示すように、補強体６、吊下材７、及び回転体８をそれぞれ２づつ設けて、建物開口部２が閉塞されている状態から建物開口部２を開放する場合には、シャッタ板５の下端が建物開口部２の床面まで降りきっており、且つ、補強体６が建物開口部２のほぼ中央に保持されている状態において、モータ１４をそれぞれ駆動して、それぞれの回転体８を回転させることにより吊下材７を各々巻き取り、それぞれの補強体６を収納ボックス１１の下端まで上昇させる。そして、巻き上げ軸１２を回転させてシャッタ板５を引き上げて、建物開口部２を開放する。一方、建物開口部２が開放されている状態から建物開口部２を閉塞する場合には、まず、巻き上げ軸１２を回転させてシャッタ板５を引き降し、建物開口部２をシャッタ板５で覆う。そして、次にそれぞれのモータ１４を駆動して、回転体８をそれぞれ回転させ、それぞれの回転体８により吊下材７を各々巻き出して、建物開口部２の互いに異なる高さに補強体６が保持されるようにする。このように補強体６の数を増やすことで、より強固に補強することができる。
【００３６】
また、図１０に示すように、スライド式シャッタの補強構造１は、一対の補強体用レール４がそれぞれガイドレール３を挟んで屋外側と屋内側とにそれぞれ設置されるとともに、これら補強体用レール４にそれぞれ補強体６を架設する構成としてもよい。すなわち、補強体６、吊下材７、及び回転体８が屋内側と屋外側とにそれぞれ設けられ、スライド式シャッタ９のシャッタ板５を補強する構成とすることができる。このように構成すると、シャッタ板５に対して屋外側から屋内側に向かって風圧がかかった場合には、屋内側に設けられた補強体６によりシャッタ板５を補強することができ、屋外側に負圧が発生した場合には、屋外側に設けられた補強体６によりシャッタ板５を補強することができる。したがって、シャッタ板５に屋内側及び屋外側のいずれから荷重が加わった場合にもシャッタ板５を補強することができ、シャッタ板５が破損することを抑制することができる。なお、補強体６の数は３以上であってもよく、シャッタ板５の破損を抑制するために必要な補強強度を得ることができる本数の補強体６を用いることができる。
【００３７】
なお、上述の実施の形態は一例であり、実施の形態は、上述の形態に限ることなく、本発明の思想を逸脱しない範囲で適宜変更することができる。
【産業上の利用可能性】
【００３８】
本発明のスライド式シャッタの補強構造１は、特に大型のスライド式シャッタ９を補強する構造として、好適に用いることができる。
【符号の説明】
【００３９】
１    スライド式シャッタの補強構造
２    建物開口部
３    ガイドレール
４    補強体用レール
５    シャッタ板
６    補強体
７    吊下材
８    回転体
９    スライド式シャッタ
１４  モータ（駆動手段）
１５  風速計（風速感知手段）
１７  制御手段
【図１】
2011117179.tif 000003
【図２】
2011117179.tif 000004
【図３】
2011117179.tif 000005
【図４】
2011117179.tif 000006
【図５】
2011117179.tif 000007
【図６】
2011117179.tif 000008
【図７】
2011117179.tif 000009
【図８】
2011117179.tif 000010
【図９】
2011117179.tif 000011
【図１０】
2011117179.tif 000012
【図１１】
2011117179.tif 000013